(57)【特許請求の範囲】
【請求項１】
データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、
保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、
保守担当箇所端末装置または外部から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させることを特徴とする通信ネットワークの電源構成管理システム。
【請求項２】
センターサーバには、通信設備の停止に関する情報として、保守担当箇所端末装置から予定停止計画の予定停止計画情報または通信設備の故障監視装置から故障による故障停止情報が送信されることを特徴とする請求項１に記載の通信ネットワークの電源構成管理システム。
【請求項３】
センターサーバは、データベースに電源構成の図面情報を格納させ、保守担当箇所端末装置から送られてきた電源装置の予定停止計画情報または通信設備の故障監視装置から送られてきた故障停止情報に対し、その停止情報に関して抽出された通信装置情報と回線情報と電源装置情報とその影響判定結果情報とに加え、電源構成の図面情報を当該保守担当箇所端末装置に送信して図面で表示させることを特徴とする請求項１または２に記載の通信ネットワークの電源構成管理システム。
【請求項４】
電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれることを特徴とする請求項１ないし３のうちいずれか１に記載の通信ネットワークの電源構成管理システム。
【請求項５】
データベースに格納された通信設備の情報に基づいて、ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、
センターサーバには、保守担当箇所端末装置から通信ネットワークを構成する通信装置の情報と通信装置に収容される回線情報と通信装置に電源を供給する電源装置の情報とがそれぞれ予め接続関係を規定するデータを付与されて送られてくると、これら各情報をデータベースに格納させる通信設備・電源構成登録手段と、
保守担当箇所端末装置から通信設備・電源構成登録手段を通じて送られてきた各情報と接続関係を規定するデータとに基づいて、電源構成を上位下位の関係でリンクさせて階層化し階層化された電源装置の電源構成の情報をデータベースに格納させる電源構成階層化更新手段と、
通信設備・電源構成登録手段により通信設備の情報が格納されたデータベースと電源構成階層化更新手段により電源構成情報が格納されたデータベースとに基づいて、通信装置情報と回線情報とともに、電源装置の電源構成情報を外部から要求された条件に基づいて抽出し要求元に抽出した情報を送出する抽出手段と、
保守担当箇所端末装置から予定された停止情報または外部の通信設備監視装置から通信設備の故障情報が送られてくると、その停止情報をデータベースに格納して登録するとともに、その停止情報を抽出手段に送出し、停止情報に基づいて抽出手段により抽出された通信装置情報と回線情報と電源構成情報とを外部に送出し、影響判定を求めるとともに、これら情報を当該保守担当箇所端末装置に送信して表示させる停止情報登録手段と、
停止情報登録手段から影響判定要求を受け取ると、抽出手段により抽出された通信装置情報と回線情報と電源装置の電源構成情報と停止情報登録手段から受け取った停止情報とに基づいて、停止情報で停止対象の電源装置およびその電源装置により影響を受ける下位の電源装置とそれら電源装置に関連する通信装置と回線とを判定し、停止情報の影響判定結果をデータベースに格納して登録させる影響判定手段とを備え、
影響判定手段により得られた影響判定結果を停止情報登録手段を通じて保守担当箇所毎の端末装置に送信して表示させることを特徴とする通信ネットワークの電源構成管理システム。
【請求項６】
センターサーバには、通信設備の停止に関する情報として、保守担当箇所端末装置から予定停止計画の予定停止計画情報または通信設備の故障監視装置から故障による故障停止情報が送信されることを特徴とする請求項５に記載の通信ネットワークの電源構成管理システム。
【請求項７】
センターサーバは、電源構成の図面情報を格納するデータベースを備えるとともに、センターサーバに停止情報を送信した保守担当箇所端末装置からの要求に応じ、抽出手段により抽出された通信装置情報と回線情報と電源構成情報と上記データベースに格納された電源構成情報とに基づいて、影響判定結果が反映された停止情報を当該保守担当箇所端末装置に送信して図面で表示させる図面描画処理手段を備えたことを特徴とする請求項５または６に記載の通信ネットワークの電源構成管理システム。
【請求項８】
電源構成階層化更新手段は、電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれることを特徴とする請求項５ないし７のうちいずれか１に記載の通信ネットワークの電源構成管理システム。
【請求項９】
通信設備・電源構成登録手段は、通信装置に電源を供給する電源装置の情報について、上位からの電源供給停止時、独立して下位に対し電源供給可能な電源装置とその稼動時間との情報をデータベースに格納して登録するとともに、影響判定手段は、停止情報の影響判定時、当該電源装置の稼動時間を判定の条件とすることを特徴とする請求項５ないし８のうちいずれか１に記載の通信ネットワークの電源構成管理システム。
【請求項１０】
データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、
保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、
保守担当箇所端末装置からまたは外部から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させることを特徴とする通信ネットワークの電源構成管理方法。
【請求項１１】
センターサーバには、通信設備の停止に関する情報として、保守担当箇所端末装置から予定停止計画の予定停止計画情報または通信設備の故障監視装置から故障による故障停止情報が送信されることを特徴とする請求項１０に記載の通信ネットワークの電源構成管理方法。
【請求項１２】
センターサーバは、データベースに電源構成の図面情報を格納させ、保守担当箇所端末装置から送られてきた電源装置の停止情報に対し、その停止情報に関して抽出された通信装置情報と回線情報と電源装置情報とその影響判定結果情報とに加え、電源構成の図面情報を当該保守担当箇所端末装置に送信して図面で表示させることを特徴とする請求項１０または１１に記載の通信ネットワークの電源構成管理方法。
【請求項１３】
電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれることを特徴とする請求項１０ないし１２のうちいずれか１に記載の通信ネットワークの電源構成管理方法。
【発明の詳細な説明】
【技術分野】
【０００１】
本発明は、通信ネットワークの電源構成管理システムとその方法に関するものである。
【背景技術】
【０００２】
一般に、通信ネットワークの通信設備の電源系統については、各保守担当箇所毎に電源構成の管理が行われるため、厳密な管理がしにくい。すなわち、各保守担当箇所毎に計画を立案する作業者が図面や収容表を作成して管理する個別管理となっており、そのやり方については各支社にあたる保守担当箇所毎で異なる。また、例えば、図６に示すように、電源装置や通信装置はすべて電源供給系統にのみリンクされているので、電源供給系統とこれら装置とのリンクによる階層と、これら装置と回線とのリンクによる階層との２階層で管理するようにしている。このため、電源装置の停止作業や故障時の停止の際、図面や収容表に基づいて停止の影響を把握しようとすると、漏れが発生する虞がある。このため、従来、登録手段により登録されたネットワーク上の保守作業計画に基づいて格納手段に格納されたネットワーク構成と回線の設定状態を参照して登録されたネットワーク上の保守作業に対応して停止する回線を予め判別する通信ネットワークの管理装置が提案されている（特許文献１参照。）。
【特許文献１】特開２００５−６５０４６号公報（第９−１２頁、図２）
【発明の開示】
【発明が解決しようとする課題】
【０００３】
しかしながら、係る従来の装置では、予め作業計画の時点で停止回線を自動的に抽出できるものの、通信装置の停止計画において電源装置の停止時にどの通信装置への電源供給が停止するのかまで把握することはできないという問題があった。
【０００４】
本発明は、上記課題を解決するためになされたもので、停止作業計画時や故障時、通信装置に関与する電源系装置の停止作業時や故障時の影響を容易かつ迅速に把握することができる通信ネットワークの電源構成管理システムとその方法を提供することを目的とするものである。
【課題を解決するための手段】
【０００５】
本発明の請求項１に係る通信ネットワークの電源構成管理システムは、データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、保守担当箇所端末装置から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させるようにしたものである。
【０００６】
本発明の請求項１に係る通信ネットワークの電源構成管理システムでは、データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、保守担当箇所端末装置から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させるようにしたことにより、停止計画時または故障時、どの電源装置が停止するか特定するだけで、その電源装置に関連する通信設備と回線およびその電源装置により影響を受ける下位の電源装置に関連する通信設備と回線とを判定することができ、停止対象の電源装置がどの通信装置やどの回線まで影響を及ぼすか、その影響が迅速かつ容易に判定される。このため、停止計画の立案から決定までが効率化され、故障時には、復旧が迅速化される。
【０００７】
また、本発明の請求項２に係る通信ネットワークの電源構成管理システムは、保守担当箇所端末装置からセンターサーバに送られてくる停止情報が、予定されている予停止計画の予定停止計画情報または故障による故障停止情報であるようにしたものである。
【０００８】
本発明の請求項２に係る通信ネットワークの電源構成管理システムでは、保守担当箇所端末装置からセンターサーバに送られてくる停止情報が、予定されている予停止計画の予定停止計画情報または故障による故障停止情報であるようにしたことにより、停止情報が予定されている予定停止計画の情報であれ、故障による故障停止情報であれ関係なく影響判定が行われる。
【０００９】
さらに、本発明の請求項３に係る通信ネットワークの電源構成管理システムは、センターサーバは、データベースに電源構成の図面情報を格納させ、保守担当箇所端末装置から送られてきた電源装置の予定停止計画情報または通信設備の故障監視装置から送られてきた故障停止情報に対し、その停止情報に関して抽出された通信装置情報と回線情報と電源装置情報とその影響判定結果情報とに加え、電源構成の図面情報を当該保守担当箇所端末装置に送信して図面で表示させるようにしたものである。
【００１０】
本発明の請求項３に係る通信ネットワークの電源構成管理システムでは、センターサーバは、データベースに電源構成の図面情報を格納させ、保守担当箇所端末装置から送られてきた電源装置の予定停止計画情報または通信設備の故障監視装置から送られてきた故障停止情報に対し、その停止情報に関して抽出された通信装置情報と回線情報と電源装置情報とその影響判定結果情報とに加え、電源構成の図面情報を当該保守担当箇所端末装置に送信して図面で表示させるようにしたことにより、保守担当箇所端末装置の作業者は、影響判定の結果を、図面を通じて見ることができるので、作業性が向上する。
【００１１】
本発明の請求項４に係る通信ネットワークの電源構成管理システムは、電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれるようにしたものである。
【００１２】
本発明の請求項４に係る通信ネットワークの電源構成管理システムでは、電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれるようにしたことにより、簡素な処理でリンクさせることができ、システムの負荷が軽減化される。
【００１３】
本発明の請求項５に係る通信ネットワークの電源構成管理システムは、データベースに格納された通信設備の情報に基づいて、ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、センターサーバには、保守担当箇所端末装置から通信ネットワークを構成する通信装置の情報と通信装置に収容される回線情報と通信装置に電源を供給する電源装置の情報とがそれぞれ予め接続関係を規定するデータを付与されて送られてくると、これら各情報をデータベースに格納させる通信設備・電源構成登録手段と、保守担当箇所端末装置から通信設備・電源構成登録手段を通じて送られてきた各情報と接続関係を規定するデータとに基づいて、電源構成を上位下位の関係でリンクさせて階層化し階層化された電源装置の電源構成の情報をデータベースに格納させる電源構成階層化更新手段と、通信設備・電源構成登録手段により通信設備の情報が格納されたデータベースと電源構成階層化更新手段により電源構成情報が格納されたデータベースとに基づいて、通信装置情報と回線情報とともに、電源装置の電源構成情報を外部から要求された条件に基づいて抽出し要求元に抽出した情報を送出する抽出手段と、保守担当箇所端末装置から予定された停止情報が送られてくると、その停止情報をデータベースに格納して登録するとともに、その停止情報を抽出手段に送出し、停止情報に基づいて抽出手段により抽出された通信装置情報と回線情報と電源構成情報とを外部に送出し、影響判定を求めるとともに、これら情報を当該保守担当箇所端末装置に送信して表示させる停止情報登録手段と、停止情報登録手段から影響判定要求を受け取ると、抽出手段により抽出された通信装置情報と回線情報と電源装置の電源構成情報と停止情報登録手段から受け取った停止情報とに基づいて、停止情報で停止対象の電源装置およびその電源装置により影響を受ける下位の電源装置とそれら電源装置に関連する通信装置と回線とを判定し、停止情報の影響判定結果をデータベースに格納して登録させる影響判定手段とを備え、影響判定手段により得られた影響判定結果を停止情報登録手段を通じて保守担当箇所毎の端末装置に送信して表示させるようにしたものである。
【００１４】
本発明の請求項５に係る通信ネットワークの電源構成管理システムでは、データベースに格納された通信設備の情報に基づいて、ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、センターサーバには、保守担当箇所端末装置から通信ネットワークを構成する通信装置の情報と通信装置に収容される回線情報と通信装置に電源を供給する電源装置の情報とがそれぞれ予め接続関係を規定するデータを付与されて送られてくると、これら各情報をデータベースに格納させる通信設備・電源構成登録手段と、保守担当箇所端末装置から通信設備・電源構成登録手段を通じて送られてきた各情報と接続関係を規定するデータとに基づいて、電源構成を上位下位の関係でリンクさせて階層化し階層化された電源装置の電源構成の情報をデータベースに格納させる電源構成階層化更新手段と、通信設備・電源構成登録手段により通信設備の情報が格納されたデータベースと電源構成階層化更新手段により電源構成情報が格納されたデータベースとに基づいて、通信装置情報と回線情報とともに、電源装置の電源構成情報を外部から要求された条件に基づいて抽出し要求元に抽出した情報を送出する抽出手段と、保守担当箇所端末装置から予定された停止情報が送られてくると、その停止情報をデータベースに格納して登録するとともに、その停止情報を抽出手段に送出し、停止情報に基づいて抽出手段により抽出された通信装置情報と回線情報と電源構成情報とを外部に送出し、影響判定を求めるとともに、これら情報を当該保守担当箇所端末装置に送信して表示させる停止情報登録手段と、停止情報登録手段から影響判定要求を受け取ると、抽出手段により抽出された通信装置情報と回線情報と電源装置の電源構成情報と停止情報登録手段から受け取った停止情報とに基づいて、停止情報で停止対象の電源装置およびその電源装置により影響を受ける下位の電源装置とそれら電源装置に関連する通信装置と回線とを判定し、停止情報の影響判定結果をデータベースに格納して登録させる影響判定手段とを備え、影響判定手段により得られた影響判定結果を停止情報登録手段を通じて保守担当箇所毎の端末装置に送信して表示させるようにしたことにより、停止計画時、計画の情報をセンターサーバが受け取ると、その情報に基づいてどの電源装置が停止するか特定することができ、その電源装置に関連する通信設備と回線およびその電源装置により影響を受ける下位の電源装置に関連する通信設備と回線とを判定することができ、停止対象の電源装置がどの通信装置やどの回線まで影響を及ぼすか、その影響が迅速かつ容易に判定される。このため、停止計画の立案から決定までが効率化される。
【００１５】
本発明の請求項６に係る通信ネットワークの電源構成管理システムは、保守担当箇所端末装置からセンターサーバに送られてくる停止情報が、予定されている予停止計画の予定停止計画情報または故障による故障停止情報であるようにしたものである。
【００１６】
本発明の請求項６に係る通信ネットワークの電源構成管理システムでは、保守担当箇所端末装置からセンターサーバに送られてくる停止情報が、予定されている予停止計画の予定停止計画情報または故障による故障停止情報であるようにしたことにより、停止情報が予定されている予定停止計画の情報であれ、故障による故障停止情報であれ関係なく影響判定が行われる。
【００１７】
本発明の請求項７に係る通信ネットワークの電源構成管理システムは、センターサーバは、電源構成の図面情報を格納するデータベースを備えるとともに、センターサーバに停止情報を送信した保守担当箇所端末装置からの要求に応じ、抽出手段により抽出された通信装置情報と回線情報と電源構成情報と上記データベースに格納された電源構成情報とに基づいて、影響判定結果が反映された停止情報を当該保守担当箇所端末装置に送信して図面で表示させる図面描画処理手段を備えたものである。
【００１８】
本発明の請求項７に係る通信ネットワークの電源構成管理システムでは、センターサーバは、電源構成の図面情報を格納するデータベースを備えるとともに、センターサーバに停止情報を送信した保守担当箇所端末装置からの要求に応じ、抽出手段により抽出された通信装置情報と回線情報と電源構成情報と上記データベースに格納された電源構成情報とに基づいて、影響判定結果が反映された停止情報を当該保守担当箇所端末装置に送信して図面で表示させる図面描画処理手段を備えたことにより、保守担当箇所端末装置の作業者は、影響判定の結果を、図面を通じて見ることができるので、作業性が向上する。
【００１９】
本発明の請求項８に係る通信ネットワークの電源構成管理システムは、電源構成階層化更新手段が、電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれるようにしたものである。
【００２０】
本発明の請求項８に係る通信ネットワークの電源構成管理システムでは、電源構成階層化更新手段は、電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれるようにしたことにより、簡素な処理でリンクさせることができ、システムの負荷が軽減化される。
【００２１】
本発明の請求項９に係る通信ネットワークの電源構成管理システムは、通信設備・電源構成登録手段は、通信装置に電源を供給する電源装置の情報について、上位からの電源供給停止時、独立して下位に対し電源供給可能な電源装置とその稼動時間との情報をデータベースに格納して登録するとともに、影響判定手段は、停止情報の影響判定時、当該電源装置の稼動時間を判定の条件とするようにしたものである。
【００２２】
本発明の請求項９に係る通信ネットワークの電源構成管理システムでは、通信設備・電源構成登録手段は、通信装置に電源を供給する電源装置の情報について、上位からの電源供給停止時、独立して下位に対し電源供給可能な電源装置とその稼動時間との情報をデータベースに格納して登録するとともに、影響判定手段は、停止情報の影響判定時、当該電源装置の稼動時間を判定の条件とするようにしたことにより、よりきめ細かく正確な影響判定を行うことができる。
【００２３】
本発明の請求項１０に係る通信ネットワークの電源構成管理方法は、データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、保守担当箇所端末装置から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させるようにしたものである。
【００２４】
本発明の請求項１０に係る通信ネットワークの電源構成管理方法では、データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、保守担当箇所端末装置から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させるようにしたことにより、停止計画時または故障時、どの電源装置が停止するか特定するだけで、その電源装置に関連する通信設備と回線およびその電源装置により影響を受ける下位の電源装置に関連する通信設備と回線とを判定することができ、停止対象の電源装置がどの通信装置やどの回線まで影響を及ぼすか、その影響が迅速かつ容易に判定される。このため、停止計画の立案が効率化され、故障時には、復旧が迅速化される。
【００２５】
本発明の請求項１１に係る通信ネットワークの電源構成管理方法は、保守担当箇所端末装置からセンターサーバに送られてくる停止情報が、予定されている予停止計画の予定停止計画情報または故障による故障停止情報であるようにしたものである。
【００２６】
本発明の請求項１１に係る通信ネットワークの電源構成管理方法では、保守担当箇所端末装置からセンターサーバに送られてくる停止情報が、予定されている予停止計画の予定停止計画情報または故障による故障停止情報であるようにしたことにより、停止情報が将来に予定されている予定停止計画の情報だけでなく、故障による故障停止情報あっても影響判定が行われるので、利便性が向上する。
【００２７】
本発明の請求項１２に係る通信ネットワークの電源構成管理方法は、センターサーバは、データベースに電源構成の図面情報を格納させ、保守担当箇所端末装置から送られてきた電源装置の停止情報に対し、その停止情報に関して抽出された通信装置情報と回線情報と電源装置情報とその影響判定結果情報とに加え、電源構成の図面情報を当該保守担当箇所端末装置に送信して図面で表示させるようにしたものである。
【００２８】
本発明の請求項１２に係る通信ネットワークの電源構成管理方法では、センターサーバは、データベースに電源構成の図面情報を格納させ、保守担当箇所端末装置から送られてきた電源装置の停止情報に対し、その停止情報に関して抽出された通信装置情報と回線情報と電源装置情報とその影響判定結果情報とに加え、電源構成の図面情報を当該保守担当箇所端末装置に送信して図面で表示させるようにしたことにより、保守担当箇所端末装置の作業者は、影響判定の結果を、図面を通じて見ることができるので、作業性が向上する
【００２９】
本発明の請求項１３に係る通信ネットワークの電源構成管理方法は、電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれるようにしたものである。
【００３０】
本発明の請求項１３に係る通信ネットワークの電源構成管理方法では、電源構成の階層化を、接続関係を規定するデータに基づいて、最上位の電源供給系統に対し電源装置の接続関係が上位か下位か並列かの関係を規定してリンクさせ、電源装置情報には、電源を供給する通信装置の特定情報が含まれるようにしたことにより、簡素な処理でリンクさせることができ、システムの負荷が軽減化される。
【発明の効果】
【００３１】
本発明の請求項１に係る通信ネットワークの電源構成管理システムでは、データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、保守担当箇所端末装置から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させるようにしたので、停止作業計画時や故障時、通信装置に関与する電源系装置の停止時の影響を容易かつ迅速に把握することができ、停止作業計画の立案から決定までが効率化され、故障時には、復旧が迅速化される。
【００３２】
本発明の請求項５に係る通信ネットワークの電源構成管理システムでは、データベースに格納された通信設備の情報に基づいて、ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、センターサーバには、保守担当箇所端末装置から通信ネットワークを構成する通信装置の情報と通信装置に収容される回線情報と通信装置に電源を供給する電源装置の情報とがそれぞれ予め接続関係を規定するデータを付与されて送られてくると、これら各情報をデータベースに格納させる通信設備・電源構成登録手段と、保守担当箇所端末装置から通信設備・電源構成登録手段を通じて送られてきた各情報と接続関係を規定するデータとに基づいて、電源構成を上位下位の関係でリンクさせて階層化し階層化された電源装置の電源構成の情報をデータベースに格納させる電源構成階層化更新手段と、通信設備・電源構成登録手段により通信設備の情報が格納されたデータベースと電源構成階層化更新手段により電源構成情報が格納されたデータベースとに基づいて、通信装置情報と回線情報とともに、電源装置の電源構成情報を外部から要求された条件に基づいて抽出し要求元に抽出した情報を送出する抽出手段と、保守担当箇所端末装置から予定された停止情報が送られてくると、その停止情報をデータベースに格納して登録するとともに、その停止情報を抽出手段に送出し、停止情報に基づいて抽出手段により抽出された通信装置情報と回線情報と電源構成情報とを外部に送出し、影響判定を求めるとともに、これら情報を当該保守担当箇所端末装置に送信して表示させる停止情報登録手段と、停止情報登録手段から影響判定要求を受け取ると、抽出手段により抽出された通信装置情報と回線情報と電源装置の電源構成情報と停止情報登録手段から受け取った停止情報とに基づいて、停止情報で停止対象の電源装置およびその電源装置により影響を受ける下位の電源装置とそれら電源装置に関連する通信装置と回線とを判定し、停止情報の影響判定結果をデータベースに格納して登録させる影響判定手段とを備え、影響判定手段により得られた影響判定結果を停止情報登録手段を通じて保守担当箇所毎の端末装置に送信して表示させるようにしたので、停止作業計画時、通信装置に関与する電源系装置の停止時の影響を容易かつ迅速に把握することができ、停止作業計画の立案から決定までが効率化される。
【００３３】
本発明の請求項１０に係る通信ネットワークの電源構成管理方法では、データベースに格納された通信設備の情報に基づいて、通信ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備え、保守担当箇所端末装置から通信ネットワークを構成する通信装置の情報と通信装置に収容される回線情報と通信装置に電源を供給する電源装置の情報とがそれぞれ予め接続関係を規定するデータを付与されてセンターサーバに送信されてくると、センターサーバがこれら各情報をデータベースに格納させ、これら各情報に基づいて、電源構成を上位下位の関係でリンクさせて階層化し、階層化された電源構成をデータベースに格納させ、保守担当箇所端末装置から電源装置の停止情報がセンターサーバに送られてくると、センターサーバは、データベースからその停止情報に関する通信装置情報と回線情報と電源装置情報とを抽出して当該保守担当箇所端末装置に送信して表示させるとともに、停止情報で停止対象の電源装置およびその電源装置により影響を受ける下位の電源装置とそれら電源装置に関連する通信設備と回線とを判定し、影響判定結果を当該保守担当箇所端末装置に送信して表示させるようにしたので、停止作業計画時や故障時、通信装置に関与する電源系装置の停止時の影響を容易かつ迅速に把握することができ、停止作業計画の立案から決定までが効率化され、故障時には、復旧が迅速化される。
【発明を実施するための最良の形態】
【００３４】
予定停止計画登録の効率化を図るという目的を、データベースに格納された通信設備の情報に基づいて、ネットワーク全体の通信装置とこの通信装置に電源を供給する電源装置を管理運用するセンターサーバと、このセンターサーバと通信を通じて通信設備の停止に関する情報を遣り取りし、保守担当箇所毎の通信ネットワークの通信設備を管理する保守担当箇所端末装置とを備えて構成し、まず、センターサーバに、保守担当箇所端末装置から通信ネットワークを構成する通信装置情報と通信装置に収容される回線情報と通信装置に電源を供給する電源装置情報とが送られてくると、通信設備・電源構成登録手段によりこれら各情報をデータベースに格納させるとともに、電源構成階層化更新手段により電源構成を上位下位の関係でリンクさせて階層化し、階層化された電源装置の電源構成の情報をデータベースに格納させておき、センターサーバに、保守担当箇所端末装置から停止情報が送られてくると、停止情報登録手段によりその停止情報をデータベースに格納させるとともに、抽出手段により停止情報に基づいてデータベースから通信ネットワークを構成する通信装置情報と通信装置に収容される回線情報と通信装置に電源を供給する電源装置の電源構成情報とを抽出して抽出された各情報を停止情報登録手段に送出し、停止情報登録手段が抽出された各情報を受け取ると、影響判定手段に影響判定を求め、停止情報登録手段から受け取った抽出された各情報と停止情報とに基づいて、影響判定手段により停止対象の電源装置により影響を受ける下位の電源装置と通信設備と回線とを判定し、影響判定結果をデータベースに登録させ、影響判定手段により得られた影響判定結果を停止情報登録手段を通じて当該保守担当箇所端末装置に送信して表示させるようにしたことにより実現した。
【実施例１】
【００３５】
以下、図面に示す実施例により本発明を説明する。図１は本発明の第１の実施例に係る通信ネットワークの電源構成管理システムのシステム構成図である。本実施例に係る通信ネットワークの電源構成管理システムは、図１に示すように、エントリー端末１０Ａと表示端末１０Ｂとが一体に構成され、予め決められた保守担当箇所毎のネットワーク回線の通信設備を管理する箇所端末（パーソナルコンピュータ、移動端末も含む。以下、保守担当箇所端末装置と称す。）１０と、これら保守担当箇所端末装置１０と通信回線（ＩＰ網、専用線網、公衆電話網等を含む。）を通じて接続され、情報の遣り取りを行うとともに、データベース２８〜３０に格納された通信設備の情報に基づいてネットワーク全体の回線を管理運用するセンターサーバ１１とを備えて構成される。本実施例でいうネットワークは、通信ネットワークをいう。また、通信設備は、電源装置と電源装置により電源供給を受ける通信装置と通信装置に収容された回線とをいう。
【００３６】
保守担当箇所端末装置１０は、通信ネットワーク全体のうち自己の保守担当箇所（支社）の通信ネットワーク回線の通信設備を管理するようになっている。保守担当箇所端末装置１０の作業者によりセンターサーバ１１に保守担当箇所毎の通信ネットワーク回線に関する装置情報Ｅｆ（電源装置の情報Ｅｐｆおよび通信装置の情報Ｅｃｆを含む。図２参照）と回線情報Ｃｆとを送信してこれら装置情報Ｅｆと回線情報Ｃｆとをそれぞれ、センターサーバ１１のデータベース２８、２９に登録するようになっている。電源装置Ｅｐのうち、図２に示すように、非常用エンジンＥＧやバッテリＢＡＴＴのような上位からの電源供給停止時、独立して下位に対し電源供給可能な電源装置については、それぞれが稼動する稼動時間の情報ｔ１、ｔ２が含まれる。これら装置情報Ｅｆ（電源装置情報Ｅｐｆ、通信装置情報Ｅｃｆ）と回線情報Ｃｆとにはそれぞれ予め上位・下位・並列の接続関係（図４の「＞」「＝」「−」参照）を規定するデータ（接続情報）Ｌｋｆが付与されている。装置情報Ｅｆと回線情報Ｃｆとがこれらデータベース２８、２９に登録されると、保守担当箇所端末装置１０には、登録された情報がセンターサーバ１１から送られ表示されるようになっている。また、作業者により、保守担当箇所端末装置１０に将来予定されている停止計画ＰＬの情報ＰＬｆ（停止対象設備情報および停止日時情報）が入力されるとセンターサーバ１１に送信され、センターサーバ１１の予定停止計画データベース３１に登録されるようになっている。予定停止計画ＰＬがセンターサーバ１１側で登録されると、保守担当箇所端末装置１０には登録された予定停止計画ＰＬの情報ＰＬｆが表示されるようになっている。さらに、保守担当箇所端末装置１０は、センターサーバ１１から図面情報Ｄｆが送られてくると、その図面情報Ｄｆを図面で表示するようになっている。保守担当箇所端末装置１０は、表示端末１０Ｂに表示された図面に対し、作業員が修正を加えると、図面を修正した情報Ｄｆ−ｍがセンターサーバ１１に送信され、データベース３２に登録されている図面情報Ｄｆを修正された図面情報Ｄｆ−ｍに更新するようになっている。
【００３７】
センターサーバ１１は、データベース２８ないし３２に格納された通信設備の情報に基づいてネットワーク全体の通信装置とこの通信装置に電源を供給する電源系統を管理運用するようになっている。センターサーバ１１は、通信設備・電源構成登録部（通信設備・電源構成登録手段）２１と、抽出部（抽出手段）２２と、予定停止計画登録部（停止情報登録手段）２３と、影響判定部（影響判定手段）２４と、電源構成更新部（電源構成階層化更新手段）２５と、図面描画処理部（図面描画処理手段）２６と、通信制御部２７とを備えて構成される。また、センターサーバ１１には、データベースとして、回線情報データベース２８と、装置情報データベース２９と、電源構成情報データベース３０と、予定停止計画データベース３１と、図面情報データベース３２とが設けられる。装置情報データベース２９には、通信設備・電源構成登録部２１を通じて各保守担当箇所端末装置１０から送られてきた保守担当箇所の通信ネットワークへ電源を供給する電源装置Ｅｐの情報Ｅｐｆおよび通信回線を構成する通信装置Ｅｃの情報Ｅｃｆが、回線情報データベース２８には、これら通信装置Ｅｃに収容される回線Ｃの構成情報Ｃｆがそれぞれ蓄積されて格納されるようになっている。電源構成情報データベース３０には、電源構成更新部２５によりリンクされ階層化された電源構成の情報が格納される。予定停止計画データベース３１には、保守担当箇所端末装置１０から予定停止計画登録部２３、影響判定部２４を通じて送られてきた予定停止計画ＰＬと、影響判定部２４により影響の有無が判定された影響判定結果が格納されるようになっている。格納される予定停止計画ＰＬの情報ＰＬｆは、予定停止計画ＰＬに関する停止日時、停止装置、停止区分、影響判定の結果に基づいて影響を受けて停止する停止装置、影響を受けて停止する停止回線の情報などである。図面情報データベース３２には、電源構成の図面情報が蓄積されて格納されるようになっている。これら回線情報データベース２８、装置情報データベース２９、電源構成情報データベース３０、予定停止計画データベース３１および図面情報データベース３２でセンターサーバ１１のデータベースを構成している。
【００３８】
センターサーバ１１は、通信制御部２７を通じて通信により保守担当箇所端末装置１０と通信設備（電源系統、電源装置、通信装置、回線等）の停止に関する情報を遣り取りするようになっている。通信設備・電源構成登録部２１は、各保守担当箇所端末装置１０から保守担当箇所の通信ネットワークの通信装置Ｅｃへ電源を供給する電源装置Ｅｐの情報Ｅｐｆ、通信ネットワークを構成する通信装置Ｅｃの情報Ｅｃｆ、これら通信装置Ｅｃに収容される回線Ｃの情報Ｃｆが送信されてくると、回線の情報Ｃｆを回線情報データベース２８に、装置の情報Ｅｆ（電源装置情報Ｅｐｆ、通信装置情報Ｅｃｆ）を装置情報データベース２９にそれぞれ格納して登録するようになっている。また、通信設備・電源構成登録部２１は、電源装置Ｅｐと通信装置Ｅｃについて各装置の電源に関する情報Ｌｋｆ（接続情報、リンク情報）を保守担当箇所端末装置１０から受け取ると、電源構成更新部２５に送出するようになっている。
【００３９】
ところで、電源装置Ｅｐの情報Ｅｐｆは、例えば、図２の装置マスタ種別における電源装置の電源供給系統ないしタップ、コンセントレールである。例えば、図３では、電源装置の範疇である電源供給系統Ａ、Ｂについてはそれぞれ、Ｅｐｒ［Ａ］、Ｅｐｒ［Ｂ］で表され、同じく、電源装置Ａ〜Ｃについては、Ｅｐｓ［Ａ］〜Ｅｐｓ［Ｃ］で表される。通信装置Ｅｃの情報Ｅｃｆは、例えば、図２の装置マスタ種別における通信装置であり、図３では、通信装置Ａ〜Ｄについて、Ｅｃ［Ａ］〜Ｅｃ［Ｄ］で表される。また、これら通信装置Ｅｃに収容される回線Ｃの情報Ｃｆは、図３では、回線Ａ〜Ｅについてそれぞれ、Ｃ［Ａ］〜Ｃ［Ｅ］で表される。これら電源装置Ｅｐと通信装置Ｅｃとの各情報Ｅｐｆ、Ｅｃｆには、図２に示すように、接続関係を示す接続情報（リンク情報）Ｌｋｆが、すなわち、どの装置に上位下位の関係で接続されるか、あるいはどの装置と並列関係で接続されるかの情報Ｌｋｆが含まれる（図２の接続情報の欄参照）。すなわち、例えば、保守担当箇所端末装置１０の保守担当箇所の通信ネットワークを構成する電源構成を、図３に示すような階層構造化して管理するため、保守担当箇所端末装置１０では、図４に示すように、各装置Ｅｐ、Ｅｃの装置情報Ｅｆと回線Ｃの情報Ｃｆにそれぞれ、上位下位の接続関係を示すデータを予め付与し、接続関係のデータが付与された各電源装置Ｅｐおよび通信装置Ｅｃの装置情報Ｅｆと回線Ｃの情報Ｃｆをセンターサーバ１１に送信するようにしている。図４では、例えば、電源供給系統Ａ（図３のＥｐｒ［Ａ］参照）には、下位の電源装置Ａ（図３のＥｐｓ［Ａ］参照）が接続される（図４の「系統Ａ＞電源装置Ａ」参照）。この電源装置Ａには、下位の電源装置Ｂ（図３のＥｐｓ［Ｂ］参照）と、下位の通信装置Ｄ（図３のＥｃ［Ｄ］参照）とが接続される（図４の「電源装置Ａ＞電源装置Ｂ」、「電源装置Ａ＞通信装置Ｄ」参照）。
【００４０】
抽出部２２は、回線情報データベース２８と装置情報データベース２９と電源構成情報データベース３０とに登録された各情報の中から、予定停止計画登録部２３、影響判定部２４または図面描画処理部２６からの指令に基づき、必要な情報Ｅｆ、Ｃｆ、Ｌｋｆを抽出して指令元に受け渡すようになっている。予定停止計画登録部２３は、保守担当箇所端末装置１０から予定停止計画ＰＬの情報ＰＬｆ、すなわち、停止対象設備の情報と停止日時の情報とが送信されてくると、影響判定部２４を通じて予定停止計画ＰＬの情報ＰＬｆを予定停止計画データベース３１に格納させて登録するとともに、抽出部２２に予定停止計画ＰＬに基づいて停止対象設備の情報を抽出するよう指示するようになっている。予定停止計画登録部２３は、抽出部２２から抽出された停止対象設備の情報を受け取ると、その停止対象設備の情報（電源装置情報Ｅｐｆと通信装置情報Ｅｃｆと回線情報Ｃｆと電源構成の接続情報Ｌｋｆ）と停止日時の情報とを影響判定部２４に送出するようになっている。また、予定停止計画登録部２３は、保守担当箇所端末装置１０からの要求に応じて、登録された予定停止計画ＰＬの情報ＰＬｆを保守担当箇所端末装置１０に送信して表示させるようになっている。
【００４１】
影響判定部２４は、予定停止計画登録部２３から送られてきた抽出された停止対象設備の情報Ｅｐｆ、Ｅｃｆ、Ｃｆ、Ｌｋｆと停止日時の情報とに基づいて、停止する電源装置Ｅｐ（Ｅｐｒ、Ｅｐｓ）により影響を受ける下位の電源装置Ｅｐと通信装置Ｅｃと回線Ｃとを判定し、影響の有無の判定結果を予定停止計画データベース３１に登録するようになっている。判定は、例えば、図３に示すように、予定停止計画ＰＬに停止対象設備として電源装置Ａ（Ｅｐｓ［Ａ］）が指定されていると、この電源装置Ａ（Ｅｐｓ［Ａ］）に電源供給を依存する下位の電源装置Ｂ（Ｅｐｓ［Ｂ］）と通信装置Ｄ（Ｅｃ［Ｄ］）とが影響ありと判定され、順に、これら電源装置Ｂ（Ｅｐｓ［Ｂ］）に電源供給を依存する電源装置Ｃと通信装置Ａ〜Ｃと回線Ａ〜Ｄが、また、電源装置Ａに電源供給を依存する通信装置Ｄと回線Ｅがそれぞれ影響ありと判定される。これら判定結果が予定停止計画登録部２３を通じて保守担当箇所端末装置１０に表示される際、影響ありの判定結果は色彩を異ならせて表示されるようになっている。また、影響判定部２４は、影響の判定時、該当する電源装置Ｅｐが非常用エンジンＥＧやバッテリＢＡＴＴの場合、その電源装置ＥＧ、ＢＡＴＴの稼動時間ｔ１、ｔ２を考慮して判定するようになっている。この稼動時間ｔ１、ｔ２を判定条件で考慮することにより、正確できめ細かい判定を行うことができる。
【００４２】
電源構成更新部２５は、通信設備・電源構成登録部２１を通じて保守担当箇所端末装置１０から電源装置Ｅｐの情報Ｅｐｆ、通信装置Ｅｃの情報Ｅｃｆおとび回線Ｃの情報Ｃｆが送信されてくると、接続情報Ｌｋｆに基づいて電源構成を上位下位の関係でリンクさせて階層化し階層化された電源構成の情報を電源構成情報データベース３０に格納させるようになっている。図面描画処理部２６は、保守担当箇所端末装置１０からの要求に応じ、予定停止計画ＰＬに基づいて電源装置Ｅｐの情報Ｅｐｆ、通信装置Ｅｃの情報Ｅｃｆ、回線Ｃの回線情報Ｃｆを抽出部２２に抽出させ、抽出された情報Ｅｐｆ、Ｅｃｆ、Ｃｆと図面情報データベース３２の図面情報とに基づいて、影響判定結果が反映された予定停止計画ＰＬの情報ＰＬｆを当該保守担当箇所端末装置１０に送信して図面で表示させるようになっている。
【００４３】
センターサーバ１１は、図１に示すように、通信ネットワークの通信設備４１が故障し、その通信設備４１の故障監視装置４２を通じて故障情報Ｂｄｆが送られてくると、予定停止計画登録部２３が故障情報Ｂｄｆを影響判定部２４を介して予定停止計画データベース３１に登録するとともに、この故障情報Ｂｄｆを抽出部２２に送出し故障情報Ｂｄｆに応じた情報Ｅｆ、Ｃｆ、Ｌｋｆの抽出を要求するようになっている。抽出部２２は予定停止計画登録部２３からの要求に基づいて、故障情報Ｂｄｆに応じた情報Ｅｆ、Ｃｆ、Ｌｋｆを回線情報データベース２８、装置情報データベース２９、電源構成情報データベース３０から抽出し、これら抽出された情報Ｅｆ、Ｃｆ、Ｌｋｆを予定停止計画登録部２３に送出するようになっている。予定停止計画登録部２３は、抽出部２２から抽出された情報Ｅｆ、Ｃｆ、Ｌｋｆを受け取ると、これら抽出された情報Ｅｆ、Ｃｆ、Ｌｋｆを、故障した通信設備４１を管理する保守担当箇所端末装置１０に送信して故障情報Ｂｄｆに対応する装置情報や回線情報を表示させるとともに、影響判定部２４に送出し、影響判定を求めるようになっている。影響判定部２４は、予定停止計画登録部２３から受け取った抽出された情報Ｅｆ、Ｃｆ、Ｌｋｆに基づいて影響判定を求められると、抽出された故障対象設備の情報Ｅｐｆ、Ｅｃｆ、Ｃｆ、Ｌｋｆに基づいて、故障により停止する電源装置Ｅｐ（Ｅｐｒ、Ｅｐｓ）により影響を受ける下位の電源装置Ｅｐと通信装置Ｅｃと回線Ｃとを判定し、影響の有無の判定結果を予定停止計画登録部２３に送出するとともに予定停止計画データベース３１に登録するようになっている。予定停止計画登録部２３は予定停止計画データベース３１に登録された故障情報Ｂｄｆと影響判定結果を当該保守担当箇所端末装置１０に送信して表示させるようになっている。この故障した通信設備４１を管理する保守担当箇所端末装置１０は表示された故障情報Ｂｄｆと影響判定結果に対し、センターサーバ１１に対して図面の表示を要求すると、センターサーバ１１の図面描画処理部２６は、抽出部２２により故障情報Ｂｄｆに応じて抽出された情報Ｅｆ、Ｃｆ、Ｌｋｆと図面情報データベース３２の電源構成の図面情報Ｄｆとを当該保守担当箇所端末装置１０に送信して表示させるようになっている。
【００４４】
次に、本発明に係る通信ネットワークの電源構成管理方法について、上記実施例に係る通信ネットワークの電源構成管理システムの作用に基づいて説明する。本実施例に係る通信ネットワークの電源構成管理方法は、保守担当箇所端末装置１０からセンターサーバ１１に、予め接続関係を規定するデータＬｋｆが付与された装置情報Ｅｆ（電源装置の情報Ｅｐｆおよび通信装置情報Ｅｃｆ）と回線情報Ｃｆとが送信されると、通信設備・電源構成登録部２１により回線情報Ｃｆは回線情報データベース２８に、装置情報Ｅｆは装置情報データベース２９にそれぞれ格納されるとともに、電源構成更新部２５に送出された電源に関する電源装置情報Ｅｐｆは接続情報に基づいて電源構成情報として電源構成情報データベース３０に格納される。このように、センターサーバ１１の回線情報データベース２８と装置情報データベース２９には、各保守担当箇所の保守担当箇所端末装置１０から保守担当箇所のネットワークについての装置情報Ｅｆと回線情報Ｃｆが集められ、ネットワーク全体の装置情報Ｅｆと回線情報Ｃｆが接続関係を規定するデータＬｋｆを付与されて格納されている。
【００４５】
ところで、ある保守担当箇所端末装置１０で停止計画を立案し予定停止計画ＰＬとしてセンターサーバ１１に送信すると、センターサーバ１１の予定停止計画登録部２３は予定停止計画ＰＬの情報ＰＬｆを影響判定部２４を介して予定停止計画データベース３１に登録するとともに、この情報ＰＬｆを抽出部２２に送出し予定停止計画ＰＬに応じた情報Ｅｆ、Ｃｆ、Ｌｋｆの抽出を要求する。抽出部２２は予定停止計画登録部２３からの要求に基づいて、予定停止計画ＰＬに応じた情報Ｅｆ、Ｃｆ、Ｌｋｆを回線情報データベース２８、装置情報データベース２９、電源構成情報データベース３０から抽出し、これら抽出された情報Ｅｆ、Ｃｆ、Ｌｋｆを予定停止計画登録部２３に送出する。予定停止計画登録部２３は、抽出部２２から抽出された情報Ｅｆ、Ｃｆ、Ｌｋｆを受け取ると、これら抽出された情報Ｅｆ、Ｃｆ、Ｌｋｆを保守担当箇所端末装置１０に送信して予定停止計画ＰＬの情報ＰＬｆとして表示させるとともに、影響判定部２４に送出し、影響判定を求める（図５の影響判定処理のフローチャート参照）。影響判定部２４は、予定停止計画登録部２３から受け取った抽出された情報Ｅｆ、Ｃｆ、Ｌｋｆに基づいて影響判定を求められると、抽出された停止対象設備の情報Ｅｐｆ、Ｅｃｆ、Ｃｆ、Ｌｋｆと停止日時の情報とに基づいて、停止する電源装置Ｅｐ（Ｅｐｒ、Ｅｐｓ）により影響を受ける下位の電源装置Ｅｐと通信装置Ｅｃと回線Ｃとを判定し、影響の有無の判定結果を予定停止計画登録部２３に送出するとともに予定停止計画データベース３１に登録する。影響の有無の判定時、該当する電源装置Ｅｐが非常用エンジンＥＧやバッテリＢＡＴＴの場合、その電源装置ＥＧ、ＢＡＴＴの稼動時間ｔ１、ｔ２も考慮される。予定停止計画登録部２３は予定停止計画データベース３１に登録された予定停止計画ＰＬの情報ＰＬｆと影響判定結果を保守担当箇所端末装置１０に送信して表示させる。保守担当箇所端末装置１０は表示された予定停止計画ＰＬの情報ＰＬｆと影響判定結果に対し、センターサーバ１１に対して図面の表示を要求すると、センターサーバ１１の図面描画処理部２６は、抽出部２２により予定停止計画ＰＬに応じて抽出された情報Ｅｆ、Ｃｆ、Ｌｋｆと図面情報データベース３２の電源構成の図面情報Ｄｆとを保守担当箇所端末装置１０に送信して表示させる。保守担当箇所端末装置１０は、表示された図面について修正を行うと、画面に表示された図面情報Ｄｆが修正され、修正された図面情報Ｄｆ−ｍがセンターサーバ１１に送信されると、センターサーバ１１の図面描画処理部２６は修正された図面情報Ｄｆ−ｍを図面情報データベース３２に格納するようになっている。
【００４６】
次に、通信ネットワークの通信設備（装置）４１が故障した際、故障監視装置４２から故障に関する情報Ｂｄｆがセンターサーバ１１に送られてきた場合の影響判定について説明する。通信設備４１の故障により故障監視装置４２を通じて装置の故障に関する故障情報Ｂｄｆがセンターサーバ１１に送信されると、センターサーバ１１の予定停止計画登録部２３は故障情報Ｂｄｆを影響判定部２４を介して予定停止計画データベース３１に登録するとともに、この故障情報Ｂｄｆを抽出部２２に送出し故障情報Ｂｄｆに応じた情報Ｅｆ、Ｃｆ、Ｌｋｆの抽出を要求する。抽出部２２は予定停止計画登録部２３からの要求に基づいて、故障情報Ｂｄｆに応じた情報Ｅｆ、Ｃｆ、Ｌｋｆを回線情報データベース２８、装置情報データベース２９、電源構成情報データベース３０から抽出し、これら抽出された情報Ｅｆ、Ｃｆ、Ｌｋｆを予定停止計画登録部２３に送出する。予定停止計画登録部２３は、抽出部２２から抽出された情報Ｅｆ、Ｃｆ、Ｌｋｆを受け取ると、これら抽出された情報Ｅｆ、Ｃｆ、Ｌｋｆを、故障した通信設備４１を管理する保守担当箇所端末装置１０に送信して故障情報Ｂｄｆに対応する装置情報や回線情報を表示させるとともに、影響判定部２４に送出し、影響判定を求める。影響判定部２４は、予定停止計画登録部２３から受け取った抽出された情報Ｅｆ、Ｃｆ、Ｌｋｆに基づいて影響判定を求められると、抽出された故障対象設備の情報Ｅｐｆ、Ｅｃｆ、Ｃｆ、Ｌｋｆに基づいて、故障により停止する電源装置Ｅｐ（Ｅｐｒ、Ｅｐｓ）により影響を受ける下位の電源装置Ｅｐと通信装置Ｅｃと回線Ｃとを判定し、影響の有無の判定結果を予定停止計画登録部２３に送出するとともに予定停止計画データベース３１に登録する。予定停止計画登録部２３は予定停止計画データベース３１に登録された故障情報Ｂｄｆと影響判定結果を、故障した通信設備４１を管理する保守担当箇所端末装置１０に送信して表示させる。当該保守担当箇所端末装置１０は表示された故障情報Ｂｄｆと影響判定結果に対し、センターサーバ１１に対して図面の表示を要求すると、センターサーバ１１の図面描画処理部２６は、抽出部２２により故障情報Ｂｄｆに応じて抽出された情報Ｅｆ、Ｃｆ、Ｌｋｆと図面情報データベース３２の電源構成の図面情報Ｄｆとを故障した通信設備４１を管理する当該保守担当箇所端末装置１０に送信して表示させる。
【００４７】
このように、本実施例に係る通信ネットワークの電源構成管理方法は、停止計画時または故障時、どの電源装置が停止するか特定するだけで、その電源装置に関連する通信設備と回線およびその電源装置により影響を受ける下位の電源装置に関連する通信設備と回線とを判定することができ、停止対象の電源装置がどの通信装置やどの回線まで影響を及ぼすか、その影響が迅速かつ容易に判定される。このため、停止計画の立案から決定までが効率化され、故障時には、復旧が迅速化される。すなわち、保守担当箇所端末装置１０が立案した予定停止計画ＰＬについて影響判定を行い、保守担当箇所端末装置１０に判定結果を表示させ、作業時や故障時の影響を図面上でグラフィカルに表示するようにしているので、作業者は正確な影響判定を行うことができるとともに、予定停止計画ＰＬについて半自動で図面や収容表を作成することができる。
【図面の簡単な説明】
【００４８】
【図１】本発明の第１の実施例に係る通信ネットワークの電源構成管理システムを示すシステム構成図である。（実施例１）
【図２】図１の保守担当箇所端末装置からセンターサーバに送信される装置情報の例と接続情報の例を示す説明図である。
【図３】階層化された電源構成の例を示す説明図である。
【図４】上位・下位・並列の接続関係を規定するデータの例を示す説明図である。
【図５】影響判定の処理を示すフローチャートである。
【図６】従来の、階層化されていない電源構成の例を示す説明図である。
【符号の説明】
【００４９】
１０  保守担当箇所端末装置
１１  センターサーバ
２８  回線情報データベース（データベース）
２９  装置情報データベース（データベース）
３０  電源構成情報データベース（データベース）
３１  予定停止計画データベース（データベース）
３２  図面情報データベース（データベース）
Ｅｐ  電源装置（通信設備）
Ｅｐｒ  電源系統
Ｅｃ  通信装置（通信設備）
Ｃ    回線
Ｅｆ  通信設備の情報
Ｅｐｆ  電源装置情報（通信設備の情報）
Ｅｃｆ  通信装置情報（通信設備の情報）
Ｃｆ  回線情報（通信設備の情報）
Ｌｋｆ  接続関係を規定するデータ
【図１】
0005115280.tif 000002
【図２】
0005115280.tif 000003
【図３】
0005115280.tif 000004
【図４】
0005115280.tif 000005
【図５】
0005115280.tif 000006
【図６】
0005115280.tif 000007